(57)【要約】【課題】小型化と高放熱性を実現でき施工がしやすい照明装置を提供することである。【解決手段】照明装置１００は光源モジュール５４と、一方の面に光源モジュール５４が配設されるベース板５１と、電源装置３００と、配線９０を備える。ベース板５１は、光源モジュール５４が配設されるとは反対側の他方の面に、光源モジュール５４の光が照射されるとは反対方向の第１の方向に向かって突出する複数の放熱フィン５２を備える。またベース板５１は、一方の面であって光源モジュール５４よりも外周側の領域から、他方の面であって複数の放熱フィン５２の間の領域へ貫通する第１の貫通孔５８ａを備える。電源装置３００は、ベース板５１より第１の方向側であって、ベース板５１と第１の方向において重ならない位置に配設される。配線９０は、光源モジュール５４に接続され、第１の貫通孔５８ａを通り、第１の方向へ向かって延出し、電源装置３００に接続される。【選択図】図１
2020053356.tif 000002
【特許請求の範囲】
【請求項１】
光源モジュールと；
一方の面に前記光源モジュールが配設され、前記一方の面とは反対側の他方の面に前記光源モジュールの光が照射される方向とは反対の第１の方向に向かって突出する複数の放熱フィンを有し、前記一方の面であって前記光源モジュールよりも外周側の領域から前記他方の面であって前記複数の放熱フィンの間の領域へ貫通する第１の貫通孔を備える板状のベース板と；
前記ベース板より前記第１の方向側であって、前記ベース板と前記第１の方向において重ならない位置に配設される電源装置と；
前記光源モジュールに接続され、前記第１の貫通孔を通り前記第１の方向へ向かって延出し前記電源装置に接続される配線と；
を備えた照明装置
【請求項２】
前記ベース板の前記他方の面側には前記第1の方向に向かって第２の貫通孔が設けられた配線導出部材が設けられており、前記配線が前記第２の貫通孔を通ることを特徴とした請求項１記載の照明装置
【請求項３】
前記配線導出部材は前記ベース部材と一体に形成されており、前記第１の貫通孔と前記第２の貫通孔が繋がっていることを特徴とする請求項２記載の照明装置
【請求項４】
前記複数の放熱フィンは互いに平行に延出しており前記複数の放熱フィンの前記第１の方向と直交する面における長手方向に前記電源が配設されていることを特徴とする請求項１〜３のいずれか１つに記載の照明装置
【発明の詳細な説明】
【技術分野】
【０００１】
本発明の実施形態は、例えば、建物の天井に設けた取付孔に取り付けるダウンライトなどの照明装置に関する。
【背景技術】
【０００２】
従来、建物の天井に取り付ける照明装置として、天井に設けた取付孔に埋設するダウンライトが知られている。ダウンライトは、例えば、光源を備えた灯具と、灯具に連結した電源装置と、を有する。この種のダウンライトを天井の取付孔に取り付ける場合、天井裏に配線した給電ケーブルを取付孔から引き出して電源装置に接続し、取付孔を介して電源装置を給電ケーブルごと天井裏に押し込んで、電源装置につながった灯具を取付孔に固定する。このとき、天井裏のスペースが建物の高さ方向に狭いと、鉛直方向に向く灯具の光軸と交差する横方向に電源装置を設置する必要がある。このため、電源装置を灯具に対して回動可能に連結して、天井裏の狭いスペースに電源装置を設置可能にしたダウンライトが知られている。
【０００３】
近年、天井の取付孔を小さくして、ダウンライトを小型化する要求が高まりつつある。例えば、上述した鉛直方向に向く灯具の光軸と交差する横方向に電源装置を設置する方式のダウンライトを小型化しようとした場合、高さ方向にも制約がある状況で取付孔の大きさに合わせて灯具を小さくする必要があるため、十分な放熱構造を設けることができず放熱性が悪くなってしまう虞がある。また、上記のようなダウンライトを天井の取付孔に挿通して設置する際は、方向転換のための回転動作が必要となり、灯具と電源装置を繋ぐ配線が回転動作時に天井裏の部材に干渉しないかどうか注意を払う必要があり、作業性が悪いという問題点があった。
【先行技術文献】
【特許文献】
【０００４】
【特許文献１】特開２０１７−１６２７８８号公報
【発明の概要】
【発明が解決しようとする課題】
【０００５】
本発明が解決しようとする課題は、小型化と高放熱性を実現しつつ、施工がしやすい照明装置を提供することである。
【課題を解決するための手段】
【０００６】
実施形態に係る照明装置は、光源モジュールと、一方の面に光源モジュールが配設されるベース板と、電源装置と、配線を備える。ベース板は、光源モジュールが配設されるとは反対側の他方の面に、光源モジュールの光が照射されるとは反対方向の第１の方向に向かって突出する複数の放熱フィンを備える。またベース板は、一方の面であって光源モジュールよりも外周側の領域から、他方の面であって複数の放熱フィンの間の領域へ貫通する第１の貫通孔を備える。電源装置は、ベース板より第１の方向側であって、ベース板と第１の方向において重ならない位置に配設される。配線は、光源モジュールに接続され、第１の貫通孔を通り、第１の方向へ向かって延出し、電源装置に接続される。
【発明の効果】
【０００７】
実施形態によると、小型化と高放熱性を実現でき、施工がしやすい照明装置を提供することができる。
【図面の簡単な説明】
【０００８】
【図１】図１は、実施形態に係る照明装置を光の出射側から見た斜視図である。
【図２】図２は、図１の照明装置を本体の放熱フィン側から見た斜視図である。
【図３】図３は、図１の照明装置を電源装置のコネクタ側から見た斜視図である。
【図４】図４は、図１の照明装置の本体のレンズ枠およびその周辺構造を示す部分拡大斜視図である。
【図５】図５は、図１の照明装置の本体の放熱器を示す斜視図である。
【図６】図６は、図１の照明装置の電源装置のケースのベース部材を示す斜視図である。
【図７】図７は、図１の照明装置の電源装置のケースのカバー部材を示す斜視図である。
【図８】図８は、図５の照明装置の本体の放熱器を上方から見た平面図である。
【図９】図９は、図８の照明装置の本体の放熱器を光源モジュール設置側から見た平面図である。
【図１０】図１０は、図５の照明装置の本体の放熱器のＡ−Ａ‘面の断面をＢ矢印側から見た平面図である。
【図１１】図１１は、図１０の断面図においてケースを追加し、下側方から見た平面図である
【発明を実施するための形態】
【０００９】
以下の説明では、照明装置１００を天井の取付孔に取り付けた状態で、光が出射される方向を下、光が出射されるとは反対方向を上と方向を定義する。また、本体２００の光軸Ｏと重なる軸をＺ軸とし、Ｚ軸と直交するとともに照明装置１００の長手方向と平行な軸をＸ軸、Ｘ軸およびＺ軸と直交する軸をＹ軸とする。そして、各図において、Ｘ軸と平行な方向を矢印Ｘで示し、Ｙ軸と平行な方向を矢印Ｙで示し、Ｚ軸と平行な方向を矢印Ｚで示す。
【００１０】
以下、図面を参照しながら実施形態について詳細に説明する。
【００１１】
図１乃至図３に示すように、実施形態に係る照明装置１００は、光軸Ｏを有する本体２００と光軸Ｏと交差するＸ方向に設けた電源装置３００を有する。また、照明装置１００は、光軸Ｏを含むＸＺ平面に沿って配置され、本体２００と電源装置３００を接続した接続部４００を有する。照明装置１００は、例えば、建物の天井に設けた図示しない取付孔を介して天井に取り付け可能なダウンライトである。
【００１２】
本体２００は、レンズ枠１０、支持枠２０、化粧枠３０、反射板４０、および放熱器５０（放熱部材）を有する。支持枠２０は、レンズ枠１０を支持固定する。化粧枠３０は、内側に支持枠２０を固定する。反射板４０は、支持枠２０の内側に取り付けられる。化粧枠３０は、天井の取付孔に固定される。放熱器５０は、レンズ枠１０に固定される。
【００１３】
電源装置３００は、ケース６０、回路基板７０（図２参照）、およびコネクタ８０を有しており、本体２００に対向して配設される。ケース６０は、内部に回路基板７０を収容配置している。ケース６０は、ＸＺ平面に沿った扁平な矩形ブロック状に形成され、本体２００に対向する面は四角形の形状となっている。ケース６０は、後述する接続部４００とは反対側の長手方向（Ｘ方向）の一端に、図示しない給電ケーブルを接続するコネクタ８０を備えている。
【００１４】
接続部４００は、放熱器５０の放熱フィン５２ｂ〜５２ｄの湾曲部分、放熱器５０の延出部分５５、電源装置３００のケース６０のベース部材６１の延出板部６１ｂを有している。放熱器５０の延出部分５５と電源装置３００の延出板部６１ｂを連結固定することで、Ｚ方向に沿って配置した本体２００に対して電源装置３００をＸ方向に延在させるように両者をＬ字状に接続する。
【００１５】
以下、照明装置１００の各部の構造を詳細に説明する。  
【００１６】
図４に示すように、レンズ枠１０は、略円筒状の筒状部１１、および筒状部１１の図示下端（Ｚ方向の下端）に連続した略円筒状のスカート部１２を一体に有する。図４では、レンズ枠１０を透明に図示して、レンズ枠１０の内側に配置した構造物を破線で図示した。レンズ枠１０は、筒状部１１およびスカート部１２を同軸に有する。レンズ枠１０の中心軸は、本体２００の光軸Ｏと重なる。レンズ枠１０は、その内側に、筒状部１１およびスカート部１２の全長にわたってＺ方向に延びた通孔を有する。
【００１７】
筒状部１１は、その内側にレンズ１３を保持している。レンズ１３は、その外周上に円環状のフランジ部１３ａを一体に有する。レンズ１３を筒状部１１に取り付ける場合、筒状部１１のスカート部１２とは反対側の端部（図示上端）からレンズ１３を筒状部１１内の通孔に挿入する。そして、フランジ部１３ａを筒状部１１の内面に設けた図示しない円環状の段部上に載置する。さらに、フランジ部１３ａの図示上方（段部と反対側）から略円環状の取付バネ１４を筒状部１１内に挿入して、取付バネ１４を筒状部１１の図示しない所定の溝内に固定する。これにより、レンズ１３のフランジ部１３ａを筒状部１１の内面に設けた段部と取付バネ１４により挟んで、レンズ１３をレンズ枠１０に固定する。
【００１８】
この状態で、レンズ１３の光軸は本体２００の光軸Ｏと重なる。レンズ１３は、筒状部１１のＺ方向の長さよりわずかに大きい光軸方向の厚みを有する。レンズ１３は、光の入射側（Ｚ方向の上端）に凹面を有する。レンズ１３は、光の出射側（Ｚ方向の下端）に凸面を有する。
【００１９】
筒状部１１は、その外周面上に、２枚の連結板９１（図１参照）を固定するための２つの切欠き部１１ａを有する。２つの切欠き部１１ａは、筒状部１１の径方向（Ｙ方向）に離間対向して設けられている。各切欠き部１１ａの図示下端は、筒状部１１の図示下端まで延びている。各切欠き部１１ａの図示上端には、筒状部１１の外周面との間に係合段部１１ｂが設けられている。各切欠き部１１ａは、筒状部１１の中心軸と平行な平らな底面を有する。２つの切欠き部１１ａの底面はＸＺ平面と平行である。各切欠き部１１ａの底面には、連結板９１を筒状部１１に締結固定するためのネジ穴１１ｃがそれぞれ設けられている。
【００２０】
連結板９１は、後述する支持枠２０と筒状部１１（および放熱器５０）を連結する。図１乃至図３に示すように、連結板９１は、本体２００の光軸Ｏ方向に延設される矩形の板状体である。連結板９１は、例えば帯状の板金により形成されている。連結板９１は、筒状部１１の周方向に沿った切欠き部１１ａの幅より狭い幅を有する。連結板９１が切欠き部１１ａの係合段部１１ｂに係合する図示上端には、係合段部１１ｂに沿って横方向に突出した突起部９１ａが設けられている。突起部９１ａは連結板９１の上端において連結板９１の幅方向の一側に突出している。
【００２１】
連結板９１を切欠き部１１ａに固定する場合、連結板９１の上端を切欠き部１１ａの係合段部１１ｂに係合させて連結板９１の背面を切欠き部１１ａの底面に接触させる。そして、連結板９１に設けた図示しない挿通孔を介して固定ネジ９２（図１）を挿通し、切欠き部１１ａの底面に設けたネジ穴１１ｃに螺合する。このように、連結板９１の上端を切欠き部１１ａの係合段部１１ｂに係合させた状態で連結板９１を切欠き部１１ａに固定することにより、連結板９１が固定ネジ９２を中心に回動することを防止している。
【００２２】
筒状部１１は、この他に、図示上端縁部に、軸方向に突出した２つの連結片１１ｄを一体に有する。各連結片１１ｄは、各切欠き部１１ａに対し、スカート部１２と反対側に連続して設けられている。言い換えると、各連結片１１ｄの図示下端は、切欠き部１１ａの係合段部１１ｂを構成している。２つの連結片１１ｄは、筒状部１１の中心軸を挟んで径方向（Ｙ方向）の両側に離間した位置に設けられ、ＸＺ平面と平行に配置されている。連結片１１ｄは、後述するように、筒状部１１の軸方向一端（図示上端）に放熱器５０を連結するための固定ネジ９３を挿通する挿通孔１１ｅを有する。
【００２３】
スカート部１２は、後述する光源からの光を出射するＺ方向に向けて拡開する略円錐台形状を有する。スカート部１２の最も大径となる下端は、筒状部１１よりわずかに小径である。スカート部１２は、２つの引っ掛け孔１２ａを有する。２つの引っ掛け孔１２ａは、筒状部１１の２つの切欠き部１１ａと周方向に９０°位相を異ならせた位置でスカート部１２を貫通して設けられている。つまり、２つの引っ掛け孔１２ａは、スカート部１２の径方向（Ｘ方向）に離間して設けられている。
【００２４】
筒状部１１の切欠き部１１ａに固定する上述した２枚の連結板９１は、スカート部１２の図示下端縁を超えて図示下方に突出した下端を有する。各連結板９１の下端近くには固定ネジ２２を挿通するための図示しない挿通孔がそれぞれ設けられている。支持枠２０は、その外周面に、径方向に離間した２つの図示しないネジ穴を有する。すなわち、レンズ枠１０に固定した２枚の連結板９１の下端に設けた挿通孔に固定ネジ２２をそれぞれ挿通し、支持枠２０に設けたネジ穴に螺合する。これにより、２枚の連結板９１の下端に支持枠２０が固定される。
【００２５】
支持枠２０は、化粧枠３０の内側に固定される。そして、支持枠２０の内側に反射板４０が取り付けられる。化粧枠３０は、天井の図示しない取付孔よりわずかに大きな外径を有する。反射板４０は、Ｚ方向に向かって拡開する略円錐台形状を有する。支持枠２０、化粧枠３０、および反射板４０の固定構造については、詳細な説明を省略する。
【００２６】
化粧枠３０は、化粧枠３０を天井に固定するための３つの固定バネ３２を有する。３つの固定バネ３２は、化粧枠３０の外周面に取り付けられている。固定バネ３２は、化粧枠３０の外周面に対して接線方向に延設された固定部３２ａと、固定部３２ａの先端側から化粧枠３０の径方向に一体に放射状に延設されたバネ部３２ｂと、を有する。３つの固定バネ３２は、固定部３２ａが同じ方向に向く姿勢で化粧枠３０に取り付けられる。
【００２７】
固定バネ３２は、固定部３２ａを化粧枠３０の外周面に近付ける方向に変形可能であるとともに、バネ部３２ｂをレンズ枠１０に近づく方向に変形可能である。このため、３つの固定バネ３２を化粧枠３０より小径な取付孔に挿通可能となっている。これら３つの固定バネ３２を用いた化粧枠３０の取り付け方法についてはその説明を省略する。
【００２８】
図５に示すように、放熱器５０は、レンズ枠１０の一端を塞ぐ略円板状のベース板５１を有する。ベース板５１はＸＹ平面上に形成され、ベース板５１の外周縁には、上述したレンズ枠１０の２つの連結片１１ｄを嵌合するための２つの切欠き５１ａが設けられている。２つの切欠き５１ａは、レンズ枠１０の２つの連結片１１ｄに対向して、ベース板５１の径方向（Ｙ方向）に離間した位置に設けられている。
【００２９】
図４に示すように、放熱器５０のベース板５１の一方の面である下面側には、光源モジュール５４が取り付けられる。光源モジュール５４は、光源モジュール搭載部５４ｄに取り付けられ、ＬＥＤ（light emitting diode）などの図示しない複数の半導体発光素子を含む発光部５４ａ（光源）を有し、発光部５４ａを基板５４ｂの表面に設けた構造を有する。発光部５４ａは、ＸＹ平面と平行な発光面５４ｃを有し、この発光面５４ｃの中心を通る発光面５４ｃと垂直な軸が光軸Ｏとなる。発光部５４ａの光軸Ｏは、レンズ１３の光軸Ｏと一致する。発光部５４ａは、光軸Ｏを中心とした光を出射する。
【００３０】
また、図９に示すようにベース板の下面側には配線ガイド５９が設けられている。この配線ガイド５９は後述する第１の貫通孔５８ａから光源モジュール５４の電極への経路に沿って配設され、第１の貫通孔５８ａから引き出された配線９０を光源モジュール５４の電極方向へ導く。また、この配線ガイド５９により、照明器具１００組み立て時の配線９０の位置を管理することができ、意図せぬ配線９０の干渉を防ぐことが可能となる。本実施例においては、光源モジュール５４の電極との接点にソケットを用いているため、ソケットの接続方向に合わせて迂回した配線ガイド５４が形成されている。また、本実施例においてはベース板５１と一体に形成されているが、金属もしくは樹脂などで別部材として形成した配線ガイド５４をベース板５１に取り付ける形となっても良い。
【００３１】
ベース板５１の他方の面である上面側には、複数枚（本実施形態では５枚）の放熱フィン５２ａ〜５２ｅが一体に立設されている。各放熱フィン５２ａ〜５２ｅは、ＸＺ平面に沿って互いに略平行に延設されており、ベース板５１の上面からＺ軸に沿って、ＬＥＤモジュール５４の光が照射されるとは反対方向である第１の方向に鉛直に延びている。
【００３２】
ベース板５１にはベース板５１の下面と上面を貫通する第１の貫通孔５８ａが配設されている。第１の貫通孔５８ａの下面側は光源モジュール５４が搭載される光源モジュール搭載部５４ｄよりも外周側の領域に設けられ、第１の貫通孔５８ａの上面側は放熱フィンと放熱フィンの間の領域に設けられている。この第１の貫通孔５８ａはベース板５１の下面側の光源モジュール５４に上面側から配線９０を通すための穴であり、孔の寸法は少なくとも配線９０の厚み以上の寸法があることが望ましい。本実施例では、第１の貫通孔５８ａは丸穴が略垂直に形成されているが、下面から上面へ貫通しており配線９０が通過できる寸法であれば形状は実施例形状に限定されるものではない。第１の貫通孔５８ａの穴形状は多角形でも良いし、貫通部分が略垂直ではなく斜めに傾斜していたり、クランク形状をしていたりしても良い。またこの第１の貫通孔５８ａは平坦な面だけでなく、凹凸面や傾斜面に設けられていても良い。
【００３３】
さらにベース板５１の上面側には、配線導出部材５８ｃが配設されている。この配線導出部材５８ｃは、第２の貫通孔５８ｂが配線導出部材５８ｃを第１の方向に貫通するように設けられている。第２の貫通孔５８ｂに配線９０を導くことにより、配線９０を保護しつつ第１の方向へ導くことができる。そのため、同じく配線９０が通過する第１の貫通孔５８ａの上面側の近傍に設けられることが望ましく、また、この第２の貫通孔５８ｂの孔部分は配線９０の厚み以上の寸法があることが望ましい。本実施例では、図８に示すように配線導出部材５８ｃは放熱フィン５２に接触すると同時に、図１０に示すようにベース板５１に接触し、第２の貫通孔５８ｂがベース板５１の第１の貫通孔５８ａと繋がるように一体に形成されているが、この形態に限定されるものではない。配線導出部５８ｃを放熱フィン５２に接触しないように形成してもよいし、ベース板５１との間に空間を設け接触しないように形成してもよい。
【００３４】
５枚の放熱フィン５２ａ〜５２ｅのうちＹ方向で内側に位置する３枚の放熱フィン５２ｂ、５２ｃ、５２ｄは、ベース板５１の上面から鉛直に延びた上部に、第１の方向と交差する第２の方向に向かって延出した延出部分５５を備えている。本実施例では第１の方向と直交するX軸方向を第２の方向としたが、第１の方向と第２の方向は直交する必要はなく、第１の方向に向かうベクトルと第２の方向に向かうベクトルがなす角が鋭角もしくは鈍角となってもよい。さらに、５枚の放熱フィン５２ａ〜５２ｅ上部において、第２の方向とは反対方向は角に面取り加工が施された構造となっている。本実施例では丸面取りを施した例を示しているが面取り形状については丸に限定されるものではなく角面取りなどでも良い。
【００３５】
５枚の放熱フィン５２ａ〜５２ｅのうち外側の２枚の放熱フィン５２ａ、５２ｅは、上述した切欠き５１ａに対向してレンズ枠１０の２つの連結片１１ｄが重なるボス部５３を備えている。各ボス部５３は、切欠き５１ａに連続して、放熱フィン５２ａの外側、および放熱フィン５２ｅの外側に一体に設けられている。各ボス部５３には、連結片１１ｄの挿通孔１１ｅに挿通する固定ネジ９３を螺合するためのネジ穴５３ａが設けられている。
【００３６】
放熱器５０をレンズ枠１０の一端に固定する場合、レンズ枠１０の２つの連結片１１ｄを放熱器５０のベース板５１の切欠き５１ａに嵌合し、各連結片１１ｄの内側にボス部５３を重ねる。このとき、放熱器５０のベース板５１の下面がレンズ枠１０の筒状部１１の上端に当接する。そして、２つの連結片１１ｄの外側から挿通孔１１ｅに固定ネジ９３をそれぞれ挿通し、ボス部５３のネジ穴５３ａに螺合して締結する。これにより、放熱器５０がレンズ枠１０の一端に固定される。
【００３７】
図５に示すように、放熱器５０は、５枚の放熱フィン５２ａ〜５２ｅのうち内側の３枚の放熱フィン５２ｂ、５２ｃ、５２ｄには第２の方向に向かって延出した延出部分５５を備えており、延出部分５５のさらに第２の方向側には電源装置３００が配設される。つまり、延出部分５５は、放熱器５０のＹ方向の幅より狭い幅にするため、内側の３枚の放熱フィン５２ｂ、５２ｃ、５２ｄをＸ方向に延出させて形成している。放熱フィンの枚数は５枚に限定されず任意に変更可能であり、延出部分５５を設ける放熱フィンの枚数も変更可能である。  
【００３８】
延出部分５５は、３枚の放熱フィン５２ｂ、５２ｃ、５２ｄのうちＹ方向の外側の１枚の放熱フィン５２ｂをＸ方向に延長した縦板部５５ａを含む。放熱フィン５２ｂと縦板部５５ａとの間には、段部５５ｂが設けられている。縦板部５５ａは放熱フィン５２ａ〜５２ｅと同様にＸＺ平面と平行に配置され、段部５５ｂはＺ方向に延設されている。段部５５ｂは、縦板部５５ａを放熱フィン５２ｂよりわずかに外側に配置する。このように、縦板部５５ａは必ずしも放熱フィン５２ｂを真っ直ぐ延長させる必要はないが、放熱フィン５２ｂをそのまま真っ直ぐに延長させてもよい。また、縦板部５５ａの板厚は、放熱フィン５２ｂと同じ板厚にする必要はない。縦板部５５ａは、電源装置３００のケース６０を固定するための固定ネジ９５、９６（図１、２）を螺合する２つのネジ穴５６ａ、５６ｂを有する。
【００３９】
また、延出部分５５は、３枚の放熱フィン５２ｂ、５２ｃ、５２ｄのＺ方向の下端をつなげた横板部５５ｃを含む。横板部５５ｃは、ベース板５１と同様にＸＹ平面と平行に配置される。横板部５５ｃのＹ方向の一端は、縦板部５５ａの内面に一体につながる。横板部５５ｃのＹ方向の他端は、放熱フィン５２ｄをＸ方向に延出した延出板部５５ｄの内面に一体につながる。横板部５５ｃの上面には、Ｈ形の台座５５ｅが一体に設けられている。台座５５ｅのＹ方向の一端は、縦板部５５ａの内面に一体につながる。台座５５ｅのＹ方向の他端は、放熱フィン５２ｄの延出板部５５ｄの内面に一体につながる。台座５５ｅは、電源装置３００のケース６０を固定するための固定ネジ９７（図２）を螺合するネジ穴５６ｃを有する。
【００４０】
ケース６０は、回路基板７０（図２）およびコネクタ８０（図３）を取り付けるベース部材６１、およびカバー部材６２を有する。図６はベース部材６１の斜視図であり、図７はカバー部材６２の斜視図である。ベース部材６１およびカバー部材６２は、それぞれ一枚の金属板により形成されている。
【００４１】
図６に示すように、ベース部材６１は、ＸＺ平面と平行に配置されるケース６０の横壁６１ａを含む。回路基板７０は、ＸＺ平面と平行な姿勢で横壁６１ａの内面側に取り付けられる。横壁６１ａの長手方向の一端（Ｘ方向の図示右端）には、放熱器５０に向けてＸ方向に延出した延出板部６１ｂが一体に設けられている。延出板部６１ｂは、横壁６１ａのＺ方向の幅より狭い幅を有する。延出板部６１ｂは、ＸＺ平面と平行に配置される。延出板部６１ｂは、放熱器５０の放熱フィン５２ｂに連続した縦板部５５ａの内面側に重ねて配置される。延出板部６１ｂは、縦板部５５ａのネジ穴５６ａ、５６ｂに重なる挿通孔６３ａ、６３ｂを有する。
【００４２】
延出板部６１ｂのＺ方向の下端辺には、ＸＹ平面と平行に配置される板片６１ｃが一体に連続して設けられている。板片６１ｃは、放熱器５０の延出部分５５の横板部５５ｃの内面に設けた台座５５ｅの上に重ねて配置される。板片６１ｃは、台座５５ｅのネジ穴５６ｃに重なる挿通孔６３ｃを有する。
【００４３】
横壁６１ａのＺ方向の上端辺には、後述するカバー部材６２の天壁６２ｂを内側から支える上支え板６１ｄが一体に連続して設けられている。上支え板６１ｄは、ＸＹ平面と平行に配置される。上支え板６１ｄは、横壁６１ａの上端辺の略全長にわたって設けられている。また、横壁６１ａのＺ方向の下端辺には、後述するカバー部材６２の底壁６２ｃを内側から支える下支え板６１ｅが一体に連続して設けられている。下支え板６１ｅは、ＸＹ平面と平行に配置される。下支え板６１ｅは、横壁６１ａの下端辺の略全長にわたって設けられている。
【００４４】
横壁６１ａの長手方向に沿って延出板部６１ｂと反対側（図６で左側）の端辺には、断面略Ｌ字形の端板６１ｆが一体に連続して設けられている。端板６１ｆは、横壁６１ａの端辺に連続してＹＺ平面と平行に配置された第１部分６１ｆ−１と、第１部分６１ｆ−１に連続してＸＺ平面と平行に配置された第２部分６１ｆ−２と、を含む。第１部分６１ｆ−１は、コネクタ８０と回路基板７０の接続部を通すための孔６３ｄを有する。第２部分６１ｆ−２は、コネクタ８０の２つの位置決めボス８１を受け入れる２つの位置決め孔６３ｅおよびコネクタ８０を締結固定するための図示しない固定ネジを螺合するネジ穴６３ｆを有する。
【００４５】
コネクタ８０は、図示しない固定ネジを挿通する挿通孔８２（図３）を有する。挿通孔８２は、コネクタ８０をＹ方向に貫通して設けられている。コネクタ８０を端板６１ｆの第２部分６１ｆ−２に固定する際には、コネクタ８０の２つの位置決めボス８１を第２部分６１ｆ−２の２つの位置決め孔６３ｅに挿通してコネクタ８０を第２部分６１ｆ−２に重ねて位置決めする。この状態で、図示しない固定ネジをコネクタ８０の挿通孔８２に挿通して第２部分６１ｆ−２のネジ穴６３ｆに螺合してコネクタ８０を第２部分６１ｆ−２に締結固定する。
【００４６】
コネクタ８０は、建物の天井裏に配線した図示しない給電ケーブルを接続するための接続孔８３を有する。コネクタ８０は、接続孔８３を介して差し込まれた給電ケーブルを接続する図示しない接続端子を有する。接続孔８３は、Ｘ方向に延設されている。
【００４７】
図７に示すように、カバー部材６２は、ベース部材６１と組み合わされてケース６０を構成する。カバー部材６２は、ケース６０を構成した状態で、ベース部材６１の横壁６１ａに対向する横壁６２ａを含む。横壁６２ａは、ベース部材６１の横壁６１ａと略同じ形状を有する。横壁６２ａは、ＸＺ平面と平行に配置される。
【００４８】
横壁６２ａのＺ方向の一端辺（図示下端側）には、ベース部材６１の上支え板６１ｄの外側に重なる天壁６２ｂが一体に連続して設けられている。天壁６２ｂは、ＸＹ平面と平行に配置され、コネクタ８０のＺ方向の上端を覆う位置まで延びている。横壁６２ａのＺ方向の他端辺（図示上端側）には、ベース部材６１の下支え板６１ｅの外側に重なる底壁６２ｃが一体に連続して設けられている。底壁６２ｃは、ＸＹ平面と平行に配置される。横壁６２ａのＸ方向の一端辺（本体２００側）には、端壁６２ｄが一体に連続して設けられている。端壁６２ｄは、ＹＺ平面と平行に配置される。天壁６２ｂ、底壁６２ｃ、および端壁６２ｄは、それぞれ横壁６２ａの端辺から連続して設けられており、Ｙ方向に沿った端辺同士は接続していない。
【００４９】
端壁６２ｄは、上述した配線９０を通す孔６４ａを有する。端壁６２ｄの横壁６２ａから離間した端辺には、ＸＺ平面と平行に延びた板片６２ｅが一体に連続して設けられている。板片６２ｅは、固定ネジ９５を挿通するための挿通孔６４ｂを有する。挿通孔６４ｂは、ベース部材６１の延出板部６１ｂの挿通孔６３ａに重なる。
【００５０】
放熱器５０にケース６０を取り付ける場合、予め回路基板７０をベース部材６１に取り付けておく。そして、ベース部材６１の延出板部６１ｂを放熱器５０の延出部分５５の縦板部５５ａの内側に重ねるとともに、ベース部材６１の板片６１ｃを放熱器５０の延出部分５５の台座５５ｅの上に重ねる。この状態で、延出板部６１ｂの挿通孔６３ｂを介して固定ネジ９６を挿通して、縦板部５５ａのネジ穴５６ｂに螺合するとともに、板片６１ｃの挿通孔６３ｃを介して固定ネジ９７を挿通して、台座５５ｅのネジ穴５６ｃに螺合する。これにより、回路基板７０を備えたベース部材６１が放熱器５０に固定される。
【００５１】
そして、回路基板７０を覆うように、カバー部材６２をベース部材６１に組み合わせる。このとき、カバー部材６２の天壁６２ｂをベース部材６１の上支え板６１ｄの外側に重ね、カバー部材６２の底壁６２ｃをベース部材６１の下支え板６１ｅの外側に重ねる。また、このとき、カバー部材６２の板片６２ｅをベース部材６１の延出板部６１ｂの内側に重ねる。そして、カバー部材６２の板片６２ｅに設けた挿通孔６４ｂおよびベース部材６１の延出板部６１ｂに設けた挿通孔６３ａを介して固定ネジ９５を挿通し、放熱器５０の縦板部５５ａに設けたネジ穴５６ａに螺合する。これにより、カバー部材６２がベース部材６１および放熱器５０に共締めにより固定される。
【００５２】
さらに、コネクタ８０と回路基板７０を接続部を、ベース部材６１の端板６１ｆに設けた孔６３ｄに通し、コネクタ８０をベース部材６１の端板６１ｆに固定する。また本実施例における、回路基板７０と本体２００の光源モジュール５４を接続される配線９０については図１１を参照し説明する。光源モジュール５４の電極に接続されているソケットから出された配線９０は、配線ガイド５９に沿ってベース板５１の第１の貫通孔５８ａに導かれる。その後、第１の貫通孔５８ａを通り、配線導出部材５８ｃの第２の貫通孔５８ｂを通り抜けるまでは第１の方向であるＺ軸方向に導出される。本実施例における第２の貫通孔５８ｂは放熱フィンの延出部５５の部分まで形成されており、第２の貫通孔５８ｂを通り抜けた後、延出部５５に沿って第２の方向であるＸ軸方向へ方向転換する。その後、ケース６０のカバー部材６２の端壁６２ｄに設けた孔６４ａに通し、図１１には図示していないケース６０内に配設されている回路基板７０と接続される。このように配線することで、筐体外部に露出する配線９０を短くすることが可能となり、所謂内部配線として配線９０を形成することが可能となる。
【００５３】
以下に、上述した照明装置１００を天井の取付孔に取り付ける際の動きを説明する。
【００５４】
まず、照明装置１００を天井の取付孔に取り付ける前に、電源装置３００に配設されているコネクタ８０に建物の天井裏に配線された給電ケーブルを接続する。この天井裏に配線された給電ケーブルの照明装置１００のコネクタ８０に接続される接続部は、取付孔を通って天井より下側に延出しているか、天井裏の取付孔近辺に配設されていることが望ましい。
【００５５】
給電ケーブル接続後は、電源装置３００の長手方向と天井の取付孔が交差するように、電源装置３００のコネクタ８０が配設されている側から天井の取付孔に挿通していく。このとき、電源装置３００は取付孔を通り抜けられる寸法である必要がある。具体的には、電源装置３００の挿通方向である長手方向（図面上ではＸ方向）と直交する面（図面上ではＹＺ平面）に沿って切断した断面における最大寸法である電源装置最大幅が、取付孔幅より小さい幅である必要がある。本実施形態においては、電源装置最大幅となるのは、ケース６０をＹＺ平面で切断した断面における横壁６１ａおよび天壁６２ｂを２辺とする四角形の対角線の長さであるため、この長さが取付孔幅以下の寸法となるように設計している。
【００５６】
電源装置３００が取付孔を通った後は、電源装置３００と後述する本体２００を接続する接続部４００を天井の取付孔に挿通する。例えば図1に示すように電源装置３００の長手方向と本体２００の長手方向は略垂直になるように接続されており、この接続部４００の挿通においては、既に天井裏へ挿通した電源装置３００の長手方向が天井と略平行になるように照明装置１００全体を回動させながら挿通する必要がある。
【００５７】
本実施例においては、接続部４００の延出板部６１ｂと延出部分５５までを取付孔に挿通するまでは、電源装置３００の挿通方向と同様に挿通動作を行う。その後、延出部５５の取付孔と対向している横板部５５ｃ上に仮想的な回転軸（図３参照）を設け回転動作を行いながら挿通する動作に切り替わる。このとき、仮想回転軸は回転動作を行うにつれて延出部分５５の横板部５５ｃ上から電源装置３００とは反対の方向へシフトしていく。最終的には、延出部分５５の根元にあたる延出基部５７近傍に仮想回転軸が到達した段階で放熱フィン５２ｂ〜５２ｄの湾曲部も取付孔を通過し回転動作と接続部４００の挿通が完了する。この回転動作において、仮想回転軸が通る延出部分５５の横板部５５ｃから延出基部５７が面一に設計されているため、回転軸をシフトされながら回転動作を行う際の施工性がよい。
【００５８】
回転動作を行いながら挿通させていく接続部４００においては、取付孔を真っ直ぐ通過させることができる電源装置３００や本体２００と比べてより細くする必要がある。本実施形態では、接続部４００の最大幅は、挿通方向変化前の挿通方向（図面上ではＸ方向）と直交するＹＺ平面に沿って接続部４００を切断した断面において、延出部分５５の縦板部５５ａおよび横板部５５ｃを２辺とする四角形の対角線長さとなるため、この最大幅が先述した電源装置３００の最大幅および後述する本体２００の最大幅より小さくなるように設計している。またこのような設計とすることにより、接続部４００は取付孔より小さくなるため、回転動作を開始する延出部５５までを取付穴に挿通した状態において、取付孔の径方向に照明装置１００全体を稼動させることが可能となる。そのため、照明装置１００の位置を微調整しながら回転動作を行うことができ施工性がよい。
【００５９】
また、このとき電源装置３００内の回路基板７０と光源モジュール５４を接続する配線９０が干渉しないように考慮する必要がある。本実施形態においては、この配線９０はベース板５１の上面側に設けられた配線導出部材５８ｃの第２の貫通孔５８ｂに導かれた後、ベース板５１に設けられた第１の貫通孔５８ａを通り光源モジュール５４に接続される。そのため、配線９０が必要以上に露出しない構造となっており、配線９０の干渉については考慮することなく作業を行うことができるため施工性がよい。
【００６０】
接続部４００の幅を小さくした場合、取付孔に挿通する際の施工性は向上するが、幅が小さくなった分機械強度が低下してしまい、取付時に生じる応力の影響で接続部が折れ曲がる虞がある。施工時に生じる応力として主に考えられるものは、給電ケーブルが天井裏の壁などに接触してその反力が応力として電源装置３００に作用することが挙げられ、この応力はほとんどがＸＺ平面に沿う方向となる。そのため、本実施形態では、ＸＺ平面に沿って配置した放熱フィン５２ｂ〜５２ｄの湾曲部分、縦板部５５ａ、および延出板部６１ｂなどの板状部材を介して本体２００と電源装置３００を接続した構成となっており、給電ケーブルから作用する応力に対する接続部４００の剛性を高めることができる。
【００６１】
またこの回動動作においては、仮想回動軸から離間した箇所が取付孔を通過できるかどうか考慮する必要がある。本実施形態では、仮想回転軸から離間しており、かつ回転動作時に天井面に干渉する可能性がある箇所として、放熱フィン５２ａ〜５２ｅの電源装置３００が存在している側とは反対側の角部にあたる領域が挙げられる。この領域内の仮想回動軸と最も離間したポイントと仮想回動軸との間隔が、取付孔の径より小さいものである必要があるため、本実施形態においては、放熱フィン５２ａ〜５２ｅの回動軸と離間した部分を丸く加工する丸面取りを施している。本実施例における丸面取りの半径の値は、取付孔の最大幅より大きい値であることが望ましい。また面取り形状については丸に限定されるものではなく、放熱フィン５２ａ〜５２ｅにおける仮想回動軸と最も離間する点との間隔が取付孔の最大幅より小さくなる加工条件であれば、丸面取りではなく角面取りなどでも良い。
【００６２】
接続部４００が取付孔を通り、回転動作が完了し電源装置３００の長手方向と天井が略平行の状態となった後は、本体２００を取付孔に挿通していく。このとき、本体２００の寸法は取付孔を通り抜けられる寸法である必要がある。具体的には、本体２００の挿通方向である光軸方向（Ｚ方向）と直交するＸＹ平面に沿って切断した断面における最大幅である、本体最大幅が取付孔幅より小さい幅である必要がある。本実施形態においては、本体最大幅となるのはレンズ枠１０の外径であるため、この長さが取付孔幅以下の寸法となるように設計している。
【００６３】
本体２００を取付孔に挿通していき化粧枠３０まで挿通した時点で、化粧枠３０に配設されている固定バネ３２により天井に固定される。なお、本実施例において化粧枠３０の表面は天井面に露出して配置されるため、化粧枠３０の直径は、取付孔の直径よりわずかに大きいものとなっている。
【００６４】
このように、天井の取付孔に照明装置１００を取り付ける場合、取付孔の大きさに合わせて本体２００、電源装置３００、接続部４００の寸法が制限される。この場合、発光出力を低下させないためには、発光する部位である本体２００の寸法を可能な限り大きくすることが望ましい。つまり、本体２００の最大幅と取付孔の最大幅を略同じにすることが望ましい。
【００６５】
よって、本実施形態によると、接続部４００の機械強度を維持した上で、接続部４００の最大径を小さくして照明装置１００を小型化することができ、接続部４００が折れ曲がるような不具合を生じることなく、照明装置１００の取付孔に対する取り付け作業を容易にすることができる。
【００６６】
また、本実施形態によると、放熱器５０と電源装置３００が第１の方向において重ならない構造となる。放熱器５０と電源装置３００が重なる構造では、両者が重なる部分は電源装置３００用の空間を設けることで放熱能力が低下、もしくは、放熱器５０の上部を電源装置３００で塞ぐ形態となることで放熱能力が低下してしまうという問題点がある。本実施形態の構成とすることにより、放熱能力を下げることなく照明装置１００を構成することが可能となる。
【００６７】
また、本実施形態によると、接続部４００のＸＺ平面に沿った方向の剛性を確保した上で、接続部４００を細くすることができるため、本体２００から電源装置３００に電熱する部材となり得る接続部４００のＹＺ平面に沿った断面積を小さくすることができる。これにより、本体２００の発光部５４ａから発生した熱を電源装置３００に伝わり難くすることができる。
【００６８】
また、本実施形態によると、ケース６０の横壁を延出させた延出板部６１ｂと放熱器５０の放熱フィン５２ｂを延長した縦板部５５ａを接合して本体２００と電源装置３００を連結固定している。このため、本体２００と電源装置３００を接続するための部材を別体で用意する必要がなく、その分、部品点数を少なくすることができ、照明装置１００の製造コストを低減することができる。
【００６９】
また、本実施形態によると、回路基板７０をケース６０の横壁に固定して、ＸＺ平面に沿う姿勢で配置した。このため、電源装置３００にＸＺ平面に沿った方向の応力が作用した場合であっても、回路基板７０が撓む方向に応力が作用し難い。つまり、照明装置１００の取り付け作業時において、回路基板７０に実装した電子部品が破損したり断線したりする不具合を防止することができる。
【００７０】
以上、本発明の実施形態を説明したが、上述した実施形態は、例として提示したものであり、発明の範囲を限定することは意図していない。上述した実施形態は、その他の様々な形態で実施されることが可能であり、発明の要旨を逸脱しない範囲で、種々の省略、置き換え、変更を行うことができる。上述した実施形態は、発明の範囲や要旨に含まれるとともに、特許請求の範囲に記載された発明とその均等の範囲に含まれる。
【００７１】
例えば、上述した実施形態では、放熱器５０の５枚の放熱フィン５２ａ〜５２ｅのうち１枚の放熱フィン５２ｂを延長した縦板部５５ａを介して電源装置３００のケース６０を固定した場合について説明したが、これに限らず、例えば、他の放熱フィン５２ｄをさらに延長してケース６０の横壁を支えるようにしてもよい。
【００７２】
また、本実施形態の照明装置１００は、本体２００がＸＺ平面に沿って光軸Ｏを傾けるチルト機構を備えていてもよい。つまり、本体２００の支持枠２０に対してレンズ枠１０を回動可能に連結してもよい。この場合、連結板９１と支持枠２０を固定した固定ネジ２２の代わりに、連結板９１と支持枠２０を回動可能に連結する図示しない回動軸を設ければよい。支持枠２０は、レンズ枠１０のスカート部１２の一部を当接させてレンズ枠１０の回動可能範囲を規制する。例えば、本体２００の化粧枠３０を天井に固定した状態で、本体２００の光軸ＯがＺ方向と平行となる姿勢から電源装置３００が起き上がる方向に所定角度範囲内でレンズ枠１０を回動可能とすることができる。
【００７３】
このように、化粧枠３０に対してレンズ枠１０を回動させた場合、本体２００の光軸ＯがＸＺ平面に沿って傾く。すなわち、レンズ枠１０を支持枠２０に対して回動可能に支持した回動軸がレンズ枠１０および支持枠２０とともに本体２００のチルト機構として機能する。また、支持枠２０に対してレンズ枠１０を回動させた場合、レンズ枠１０に固定した放熱器５０、接続部４００、および電源装置３００もＸＺ平面に沿って回動する。
【００７４】
つまり、本体２００の光軸Ｏを傾ける動作時に、本体２００に固定した電源装置３００も一緒にＸＺ平面に沿って傾く。このとき、電源装置３００に接続した給電ケーブルを介してケース６０に対してＸＺ平面に沿った方向の応力が作用することが考えられる。この場合においても、接続部４００がＸＺ平面に沿って配置した縦板部５５ａや延出板部６１ｂなどの板状部材を含むため、本体２００の傾倒方向の応力に対する剛性を保つことができる。
【００７５】
なお、本体２００の光軸Ｏを傾ける場合、照明装置１００を天井の取付孔に取り付ける前に、予め、支持枠２０に対してレンズ枠１０を傾けておく方法が考えられる。または、天井の取付孔に照明装置１００を取り付けた後に、本体２００の光軸Ｏを傾けることもできる。この場合、天井面に取り付けた本体２００の下方から図示しない工具を差し込んで、レンズ枠１０のスカート部１２に設けた引っ掛け孔１２ａに工具の先端を引っ掛けて、レンズ枠１０を支持枠２０に対して所望する角度に傾けることができる。
【符号の説明】
【００７６】
１０…レンズ枠、１３…レンズ、２０…支持枠、２２…固定ネジ、３０…化粧枠、４０…反射板、５０…放熱器、５１…ベース板、５２ａ、５２ｂ、５２ｃ、５２ｄ、５２ｅ…放熱フィン、５８ａ…第１の貫通孔、５８ｂ…第２の貫通孔、５８ｃ…配線導出部材、５９…配線ガイド、６０…ケース、７０…回路基板、８０…コネクタ、９０…配線、１００…照明装置、２００…本体、３００…電源装置、４００…接続部、Ｏ…光軸。
【図１】
2020053356.tif 000003
【図２】
2020053356.tif 000004
【図３】
2020053356.tif 000005
【図４】
2020053356.tif 000006
【図５】
2020053356.tif 000007
【図６】
2020053356.tif 000008
【図７】
2020053356.tif 000009
【図８】
2020053356.tif 000010
【図９】
2020053356.tif 000011
【図１０】
2020053356.tif 000012
【図１１】
2020053356.tif 000013